(57)【特許請求の範囲】
【請求項１】
前方道路のうち、現在位置から、現在の走行速度と所定時間との積である距離離れた位置までの区間を所定区間として設定する区間設定部と、
前記所定区間を走行した場合に受ける抵抗、現在の変速段、および前記現在の走行速度に基づいて、前記所定区間を走行した場合の走行速度を予測する速度予測部と、
予測した走行速度の最小値が所定値より小さくなった場合に、変速機にシフトダウンを実行させる変速制御部と、
を備え、
前記シフトダウン後、前記区間設定部は、前記シフトダウン後における前記走行速度と、前記所定の時間との積から再算出された距離に基づいて、前記シフトダウン後における前記現在位置から前記再算出された距離離れた位置までを再設定された所定区間とし、
前記速度予測部は、前記再設定された所定区間を前記シフトダウン後の第２の変速段で走行した場合の前記再設定された所定区間における前記走行速度の推移を再度予測する、
車両。
【請求項２】
前記変速制御部は、前記最小値が所定値より小さくならない場合には、前記変速機にシフトダウンを実行させない、
請求項１に記載の車両。
【請求項３】
前記速度予測部により予測される前記走行速度の推移は、前記車両が前記所定区間をアクセル開度が全開の状態で走行した場合の推移である、
請求項１または２に記載の走行制御装置。
【請求項４】
前方道路のうち、現在位置から、現在の走行速度と所定時間との積である距離離れた位置までの区間を所定区間として設定し、
前記所定区間を走行した場合に受ける抵抗と現在の変速段とに基づいて、前記所定区間を走行した場合の走行速度の最小値を予測し、
前記最小値が所定値より小さくなった場合に変速機にシフトダウンを実行させ、
前記シフトダウン後、前記シフトダウン後における前記走行速度と、前記所定の時間との積から再算出された距離に基づいて、前記シフトダウン後における前記現在位置から前記再算出された距離離れた位置までを再設定された所定区間とし、
前記再設定された所定区間を前記シフトダウン後の第２の変速段で走行した場合の前記再設定された所定区間における前記走行速度の推移を再度予測する、
車両制御方法。
【発明の詳細な説明】
【技術分野】
【０００１】
本発明は、車速が所定の速度を下回った場合に第１の変速段から第２の変速段へのシフトダウンを変速機に実行させる走行制御装置、及び、走行制御方法に関する。
【背景技術】
【０００２】
従来、自動車などの車両において、車両の速度（車速）や運転手のアクセル操作などに応じ、変速段を自動的に切り替える自動変速機が用いられている。
【０００３】
例えば、特許文献１には、予め設定されたシフトマップに従って、車速、及び、運転手のアクセルの操作量に基づき、自動変速機の目標変速段を設定し、その目標変速段に基づいて、自動変速機の変速制御を行う変速制御装置が開示されている。
【０００４】
この変速制御装置は、地図情報に基づき車両の進路上の所定距離以内に登坂路が存在すると判定したとき、車両が登坂路に到達する以前に、平坦路を走行中の現在の変速段と比較して低速ギヤ側の変速段を目標変速段として設定する。これにより、登坂路での著しい速度低下に起因する走行フィーリングの悪化が未然に回避できるとされている。
【先行技術文献】
【特許文献】
【０００５】
【特許文献１】特開２０１３−１３０２３９号公報
【発明の概要】
【発明が解決しようとする課題】
【０００６】
しかしながら、上述した特許文献１では、車両が現在の変速段のまま登坂路を登り切ることができるとしても、車両が登坂路に到達する以前に、現在の変速段と比較して低速ギヤ側の変速段に変更されるため、登坂路が長く続く場合などには燃費が悪くなり、さらには頂上に到達するまで時間かかるという問題がある。
【０００７】
本発明は上記の問題に鑑みてなされたものであり、その課題は、車両が登坂路を走行する際に、車速の低下防止、燃費の悪化防止、頂上に到達するまでの時間短縮をバランスよく実現することができる走行制御装置、及び、走行制御方法を提供することである。
【課題を解決するための手段】
【０００８】
上記の課題を解決するため、本発明の車両は、前方道路のうち、現在位置から、現在の走行速度と所定時間との積である距離離れた位置までの区間を所定区間として設定する区間設定部と、前記所定区間を走行した場合に受ける抵抗、現在の変速段、および前記現在の走行速度に基づいて、前記所定区間を走行した場合の走行速度を予測する速度予測部と、予測した走行速度の最小値が所定値より小さくなった場合に、変速機にシフトダウンを実行させる変速制御部と、を備え、前記シフトダウン後、前記区間設定部は、前記シフトダウン後における前記走行速度と、前記所定の時間との積から再算出された距離に基づいて、前記シフトダウン後における前記現在位置から前記再算出された距離離れた位置までを再設定された所定区間とし、前記速度予測部は、前記再設定された所定区間を前記シフトダウン後の第２の変速段で走行した場合の前記再設定された所定区間における前記走行速度の推移を再度予測する。
【０００９】
本発明の車両制御方法は、前方道路のうち、現在位置から、現在の走行速度と所定時間との積である距離離れた位置までの区間を所定区間として設定し、前記所定区間を走行した場合に受ける抵抗と現在の変速段とに基づいて、前記所定区間を走行した場合の走行速度の最小値を予測し、前記最小値が所定値より小さくなった場合に変速機にシフトダウンを実行させ、前記シフトダウン後、前記シフトダウン後における前記走行速度と、前記所定の時間との積から再算出された距離に基づいて、前記シフトダウン後における前記現在位置から前記再算出された距離離れた位置までを再設定された所定区間とし、前記再設定された所定区間を前記シフトダウン後の第２の変速段で走行した場合の前記再設定された所定区間における前記走行速度の推移を再度予測する。
【発明の効果】
【００１０】
本発明によれば、車両が登坂路を走行する際に、車速の低下防止、燃費の悪化防止、頂上に到達するまでの時間短縮をバランスよく実現できる。
【図面の簡単な説明】
【００１１】
【図１】本発明の一実施形態に係る自動走行装置の構成の一例を示すブロック図である。
【図２】図１に示した自動走行制御装置の構成の一例を示すブロック図である。
【図３】本発明の一実施形態に係るシフトダウンの要否の判定処理の一例を示す図である。
【図４】本発明の一実施形態に係る走行制御の処理手順の一例を示すフローチャートである。
【発明を実施するための形態】
【００１２】
以下、本発明の実施形態について図面を参照して説明する。図１は、本発明の一実施形態に係る自動走行装置２の構成の一例を示すブロック図である。また、図２は、図１に示した自動走行制御装置１２の構成の一例を示すブロック図である。
【００１３】
なお、図１では、エンジン３が直列６気筒のディーゼルエンジンであるものとして説明するが、本発明は、ガソリンエンジンにも適用することができ、その気筒の数や配列は特に限定されない。また、車両１がディーゼルエンジンを搭載したトラックなどの大型車両である場合を例として説明するが、本発明はトラックなどの大型車両に限定されない。
【００１４】
図１に示すように、この実施形態の自動走行装置２が搭載される車両１において、エンジン３の動力は、クラッチ４を経由して変速機（トランスミッション）５に伝達され、変速機５より推進軸（プロペラシャフト）６を介して差動装置（デフアレンシャルギヤ）７に伝達され、さらに、差動装置７より駆動軸（ドライブシャフト）８を介して車輪９に伝達される。これにより、エンジン３の動力が車輪９に伝達されて車両１が走行する。
【００１５】
本実施形態の自動走行装置２は、エンジン３の出力、クラッチ４の断接、及び変速機５の変速を制御して、車両１を自動走行させる装置であり、複数の制御装置を備える。
【００１６】
具体的には、自動走行装置２は、エンジン３の出力を制御するエンジン用ＥＣＵ（エンジン用制御装置）１０、クラッチ４の断接及び変速機５の変速を制御する動力伝達用ＥＣＵ（動力伝達用制御装置）１１、及び、車両１の自動走行を制御する自動走行制御装置１２を備えている。
【００１７】
エンジン用ＥＣＵ１０、動力伝達用ＥＣＵ１１、自動走行制御装置１２はそれぞれ、マイクロコントローラにより構成される。そして、エンジン用ＥＣＵ１０、動力伝達用ＥＣＵ１１、及び、自動走行制御装置１２は、車載ネットワークにより相互に接続され、必要なデータや制御信号を相互にやり取りしている。
【００１８】
また、自動走行装置２は、図示しない運転席のダッシュボードに、目標車速設定装置１３、及び、増減値設定装置１４を備え、これら目標車速設定装置１３、及び、増減値設定装置１４は、自動走行制御装置１２に接続される。
【００１９】
目標車速設定装置１３は、車両１の自動走行が開始される前に、運転手によって手動で操作され、車両１の自動走行時の目標車速Ｖ’［ｋｍ／ｈ］が設定される装置である。運転手により目標車速設定装置１３に目標車速Ｖ’が設定されると、その目標車速Ｖ’は自動走行制御装置１２に送信され、自動走行制御装置１２が有する記憶装置に記憶される。
【００２０】
また、増減値設定装置１４は、車両１の自動走行が開始される前で、かつ目標車速Ｖ’が設定された後に、運転手によって操作され、車両１の自動走行時の速度減少値−ｖａ［ｋｍ／ｈ］、及び、速度増加値＋ｖｂ［ｋｍ／ｈ］の両方が設定される装置である。
【００２１】
運転手により増減値設定装置１４に速度減少値−ｖａ、及び、速度増加値＋ｖｂの両方が設定されると、速度減少値−ｖａ、及び、速度増加値＋ｖｂは自動走行制御装置１２に送信され、自動走行制御装置１２が有する記憶装置に記憶される。
【００２２】
また、自動走行制御装置１２は、目標車速Ｖ’に速度減少値−ｖａ、及び、速度増加値＋ｖｂのそれぞれを加算して下限目標車速Ｖａ’［ｋｍ／ｈ］、及び、上限目標車速Ｖｂ’［ｋｍ／ｈ］を算出し、算出したそれらの値を自動走行制御装置１２が有する記憶装置に記憶する。
【００２３】
例えば、目標車速Ｖ’を８０ｋｍ／ｈ、速度減少値−ｖａを−５ｋｍ／ｈ、速度増加値＋ｖｂを＋１０ｋｍ／ｈとした場合、下限目標車速Ｖａ’は７５ｋｍ／ｈとなり、上限目標車速Ｖｂ’は９０ｋｍ／ｈとなる。なお、速度減少値−ｖａ、及び、速度増加値＋ｖｂはゼロに設定されてもよい。
【００２４】
下限目標車速Ｖａ’及び上限目標車速Ｖｂ’は、車両１の自動走行時に運転手が許容することができる車速Ｖ［ｋｍ／ｈ］の範囲となる。
【００２５】
また、道路情報取得装置２０は、前方道路の道路情報を取得するための装置である。前方道路とは、車両の現在位置から車両の進行方向に延在する道路である。
【００２６】
例えば、道路情報取得装置２０は、衛星測位システム（ＧＰＳ）の受信機である現在位置取得装置２１と、前走車や並走車などの周囲の走行車両との距離や車速差を検知する周囲センサ２２と、を備える。
【００２７】
車両情報取得装置３０は、車両１の車両情報を取得するための装置である。例えば、車両情報取得装置３０は、アクセルペダルの踏み込み量を検出するアクセルセンサ３１、ブレーキペダルの踏み込みの有無を検出するブレーキスイッチ３２、シフトレバー３３、ターンシグナルスイッチ３４、及び、車両１の車速Ｖを検出する車速センサ３５を含む。また、エンジン用ＥＣＵ１０と動力伝達用ＥＣＵ１１も車両情報取得装置３０に含まれる。
【００２８】
制動装置４０は、車両１に制動力を付与する装置である。制動装置４０には、フットブレーキ４１やリターダ４２、エンジン用ＥＣＵ１０、動力伝達用ＥＣＵ１１により制御される排気ブレーキなどの補助ブレーキ４３が含まれる。
【００２９】
図２に示すように、自動走行制御装置１２は、道路情報取得部１２ａ、車両情報取得部１２ｂ、速度予測部１２ｃ、変速制御部１２ｄ、を備える。
【００３０】
道路情報取得部１２ａは、車両１の現在地点の前方の所定区間における道路情報を取得する。
【００３１】
具体的には、道路情報取得部１２ａは、現在位置取得装置２１が取得した現在位置、及び、予め記憶しておいた地図データなどから前方道路を決定すると共に、取得される前方道路の所定区間の道路勾配や前方道路の所定区間に設けられたカーブ、信号の有無の情報などを取得する。また、道路情報取得部１２ａは、周囲センサ２２が検知した周囲の走行車両との距離や車速差などの情報を取得する。
【００３２】
なお、道路情報取得部１２ａは、車両１の速度に応じて所定区間を決定することとしてもよい。例えば、道路情報取得部１２ａは、現在の車速と所定の時間との積から距離を算出し、前方道路のうち、車両１の現在地点からその距離までの区間を所定区間として設定することとしてもよい。
【００３３】
車両情報取得部１２ｂは、車両１を自動走行させるために必要な車両情報を取得する。
【００３４】
具体的には、車両情報取得部１２ｂは、アクセルセンサ３１により検出されたアクセルペダルの踏み込み量、ブレーキスイッチ３２により検出されたブレーキペダルの踏み込みの有無、シフトレバー３３やターンシグナルスイッチ３４の操作、車速センサ３５により検出された車両１の車速Ｖ、エンジン用ＥＣＵ１０及び動力伝達用ＥＣＵ１１で使用されるエンジン３の出力情報、車両１の重量、及び、変速機５の変速段の情報などを取得する。
【００３５】
なお、道路情報取得部１２ａと車両情報取得部１２ｂとが取得する情報は、上記のものに限定されず、車両１を自動走行させるために必要となる他の情報を取得することとしてもよい。また、取得する情報に合わせて、道路情報取得装置２０や車両情報取得装置３０に設けられる装置を変更したり、増やしたりしてもよい。
【００３６】
速度予測部１２ｃは、道路情報と車両情報とに基づいて、車両１が前方道路の所定区間を現在の変速段でアクセル開度を全開にして走行とするとした場合の所定区間における車速の推移を予測する。速度予測部１２ｃによる車速の推移の予測方法については後に詳しく説明する。
【００３７】
変速制御部１２ｄは、動力伝達用ＥＣＵ１１を介して、変速機５によりなされる変速動作を制御する。
【００３８】
具体的には、変速制御部１２ｄは、車速、アクセルペダルの踏み込み量、及び、変速段の関係を定めたシフトマップを記憶する。そして、変速制御部１２ｄは、シフトマップを参照し、車両情報取得部１２ｂが取得した現在の車速、及び、アクセルセンサ３１により検出されたアクセルペダルの踏み込み量に対応する変速段の情報を取得して、現在の変速段を変更するか否かを判定する。
【００３９】
そして、変速制御部１２ｄは、変速段の変更を行うと判定した場合、動力伝達用ＥＣＵ１１に指示を送ることにより変速段を変更させる。
【００４０】
なお、変速制御部１２ｄの代わりに、動力伝達用ＥＣＵ１１がシフトマップを記憶し、動力伝達用ＥＣＵ１１が、シフトマップに基づいて、変速段の制御を行うこととしてもよい。
【００４１】
さらに、変速制御部１２ｄは、速度予測部１２ｃにより予測された所定区間における車速の最小値が、シフトダウンが必要な車速としてシフトマップに予め設定されている車速（以下、シフトダウン車速と呼ぶ。）よりも小さい場合、動力伝達用ＥＣＵ１１にシフトダウンの実行指示を送信する。これにより、変速制御部１２ｄは、変速機５にシフトダウンを実行させる。
【００４２】
一方、上記最小値がシフトダウン車速よりも小さくない場合、変速制御部１２ｄは、変速機５にシフトダウンを実行させない。
【００４３】
これにより、必要な場合にのみシフトダウンが行われるため、燃費の悪化を防止することができ、車速の低下防止、燃費の悪化防止、頂上に到達するまでの時間短縮をバランスよく実現することができる。
【００４４】
次に、速度予測部１２ｃにおける車速の予測方法について説明する。現在の車速をＶｎ［ｋｍ／ｈ］、Ｌ［ｍ］先の前方位置の予測された車速をＶｎ＋１［ｋｍ／ｈ］とすると、ＶｎとＶｎ＋１の関係は次式（１）により表わされる。
【数１】
0006631024.tif 000002
【００４５】
そして、ΔＶｎ［ｋｍ／ｈ］は、次式（２）を用いて算出される。
【数２】
0006631024.tif 000003
ここで、θ［％］は現在位置からＬだけ先の前方位置までの平均道路勾配である。平均道路勾配は、前述の地図データから算出される。
【００４６】
また、Ｇ［ｋｍ／ｈ２］は現在の変速段において、アクセル開度を全開にして走行するとした場合の加速度であり、次式（３）を用いて算出される。
【数３】
0006631024.tif 000004
ここで、ｔｑ［ｋｇｆ・ｍ］は現在の変速段で車速Ｖｎで走行する場合のエンジン３の最大トルク、ｒｔは現在の変速段のギヤ比、ｒｆはファイナルギヤのギヤ比、ηは伝達効率、ｔｒ［ｍ］はタイヤ半径、Ｍ［ｋｇ］は車両重量、ｒｒｃは転がり抵抗係数、ａｒｃ［kｇｆ／（ｋｍ／ｈ）２］は空気抵抗係数である。これらの情報は、車両情報取得部１２ｂが取得する車両情報に含まれる。
【００４７】
式（１）〜（３）を用いることにより、速度予測部１２ｃは、現在の車速Ｖ０を初期値として、現在位置からｍＬ（ｍ＝１、２、・・・）だけ先の車速Ｖｍを予測することができる。
【００４８】
次に、本発明の一実施形態に係るシフトダウンの要否の判定処理の一例について説明する。図３は、本発明の一実施形態に係るシフトダウンの要否の判定処理の一例を示す図である。
【００４９】
図３には、平坦な道路を走行している車両１と、そこから５Ｌだけ前方の登坂路を走行している車両１’が示されている。また、図３に示すグラフには予測された車速の推移が示されている。
【００５０】
図３の場合、変速制御部１２ｄは、車速Ｖ５がシフトダウン車速を下回っていると判定し、現在の車両の位置、つまり平坦な道路上で、現在の変速段から現在の変速段より１段低い変速段へのシフトダウンを変速機５に実行させる。
【００５１】
次に、本発明の一実施形態に係る走行制御の処理手順の一例について説明する。図４は、本発明の一実施形態に係る走行制御の処理手順の一例を示すフローチャートである。
【００５２】
まず、道路情報取得部１２ａは、前方道路を決定し（ステップＳ１１）、前方道路の道路情報を取得する（ステップＳ１２）。そして、車両情報取得部１２ｂは、車両状況の情報を取得する（ステップＳ１３）。
【００５３】
続いて、速度予測部１２ｃは、道路情報と車両情報とに基づいて、所定区間を現在の変速段でアクセル開度を全開にして走行した場合の所定区間における車両１の車速の推移を予測する（ステップＳ１４）。
【００５４】
次に、変速制御部１２ｄは、速度予測部１２ｃにより予測された所定区間における車速の最小値が、シフトダウン車速よりも小さいか否かを判定する（ステップＳ１５）。
【００５５】
そして、所定区間における車速の最小値がシフトダウン車速よりも小さい場合（ステップＳ１５においてＹＥＳの場合）、変速制御部１２ｄは、現在の車両の位置で、現在の変速段から現在の変速段より１段低い変速段へのシフトダウンを変速機５に実行させる（ステップＳ１６）。これにより、車両１は登坂路に進入する前にシフトダウンを行うことができる。
【００５６】
ステップＳ１６の処理の後、または、ステップＳ１５において、所定区間における車速の最小値がシフトダウン車速よりも小さくない場合（ステップＳ１５においてＮＯの場合）、変速制御部１２ｄは、シフトダウンを変速機５に実行させることなく、変速制御を終了するか否かを判定する（ステップＳ１７）。例えば、変速制御部１２ｄは、運転者から自動走行を終了する指示があった場合に、この変速制御を終了すると判定する。
【００５７】
変速制御部１２ｄは、変速制御を終了すると判定した場合（ステップＳ１７においてＹＥＳの場合）、変速制御を終了する。また、変速制御部１２ｄが変速制御を終了しないと判定した場合（ステップＳ１７においてＮＯの場合）、ステップＳ１１以降の処理が再度実行される。
【００５８】
なお、以上説明した本発明の一実施形態では、速度予測部１２ｃは、車両１が前方道路の所定区間を現在の変速段でアクセル開度を全開にして走行とするとした場合の車速の推移を予測するとしたが、本発明はこれに限定されない。
【００５９】
例えば、速度予測部１２ｃは、アクセル開度が全開でなくとも、現在のアクセル開度以上のアクセル開度にして走行するとした場合の車速の推移を予測してもよい。
【００６０】
この場合も、速度予測部１２ｃにより予測された所定区間における車速の最小値が、シフトダウン車速よりも小さい場合、変速制御部１２ｄは、現在の車両の位置で、現在の変速段から現在の変速段より１段低い変速段へのシフトダウンを変速機５に実行させる。
【００６１】
以上説明したように、本実施形態によれば、車速が所定の速度を下回った場合に第１の変速段から第２の変速段へのシフトダウンを変速機５に実行させる自動走行制御装置１２の道路情報取得部１２ａが、第１の変速段で走行する車両の前方の所定区間における道路の情報を取得し、車両情報取得部１２ｂが、車両の情報を取得し、速度予測部１２ｃが、道路の情報、及び、車両の情報に基づいて、所定区間を第１の変速段で走行した場合の所定区間における車速の推移を予測し、変速制御部１２ｄが、速度予測部１２ｃにより予測された車速の最小値が所定の速度よりも小さい場合に、シフトダウンを変速機５に実行させる。これにより、車両が登坂路を走行する際に、車速の低下防止、燃費の悪化防止、頂上に到達するまでの時間短縮をバランスよく実現できる。
【００６２】
また、本実施形態によれば、速度予測部１２ｃにより予測される車速の推移は、車両が所定区間をアクセル開度が全開の状態で走行した場合の車速の推移である。これにより、車速の低下をより防止し、頂上に到達するまでの時間をより短縮できる。
【００６３】
また、本実施形態によれば、道路情報取得部１２ａは、車両の現在速度に応じて所定区間を決定する。これにより、車速を予測する所定区間をより適切に変更できる。
【産業上の利用可能性】
【００６４】
本発明は、車速が所定の速度を下回った場合に第１の変速段から第２の変速段へのシフトダウンを変速機に実行させる走行制御装置、及び、走行制御方法に利用することができる。
【符号の説明】
【００６５】
１  車両
２  自動走行装置
３  エンジン
４  クラッチ
５  変速機
１０  エンジン用ＥＣＵ（エンジン用制御装置）
１１  動力伝達用ＥＣＵ（動力伝達用制御装置）
１２  自動走行制御装置
１２ａ  道路情報取得部
１２ｂ  車両情報取得部
１２ｃ  速度予測部
１２ｄ  変速制御部
１３  目標車速設定装置
１４  増減値設定装置
２０  道路情報取得装置
３０  車両情報取得装置
４０  制動装置
【図１】
0006631024.tif 000005
【図２】
0006631024.tif 000006
【図３】
0006631024.tif 000007
【図４】
0006631024.tif 000008